(57)【要約】【課題】鋼管杭の製造コストを低減するとともに施工性向上および工期短縮を図ることができる鋼管杭施工用治具および鋼管杭の施工方法を提供すること。【解決手段】鋼管杭施工用治具１０を介して下杭体３を地盤に回転貫入することができ、下杭体３の杭頭部に係合コマ等を溶接固定する必要がないことから、使用する鋼材量や溶接量、加工工数を抑制して製造コストを低減させることができる。さらに、鋼管杭施工用治具１０の治具雄部材１３と上杭体の接続雄部材とが同一部材で構成され、これらと下杭体３の接続雌部材４とが機械的に接続可能に構成されているので、下杭体３に対する鋼管杭施工用治具１０の仮固定および取り外しの作業と上杭体の接続作業とが迅速に実施でき、施工性を向上して工期の短縮を図ることができる。【選択図】図５
2010138687.tif 000002
【特許請求の範囲】
【請求項１】
少なくとも上下二段の杭体と、これら上下の杭体のうち下杭体の上端部に設けられる第１接続部と、上杭体の下端部に設けられる第２接続部と、これら第１および第２の接続部を互いに連結する連結材と、を備える鋼管杭を施工する際に用いる鋼管杭施工用治具であって、
前記杭体を地盤に回転貫入する杭打ち機の回転キャップと係合可能な係合部を有した治具本体と、
前記治具本体に一体に設けられ前記第２接続部と同一形状を有する治具接続部と、
前記治具接続部を前記第１接続部に連結して仮固定する治具連結材と、
前記仮固定した状態の治具連結材の脱落を防止する脱落防止手段とを備えることを特徴とする鋼管杭施工用治具。
【請求項２】
請求項１に記載の鋼管杭施工用治具において、
前記鋼管杭の第１接続部は、前記下杭体から上方に突出する第１接続凸部を有し、前記第２接続部は、前記第１接続凸部を嵌挿させる第２接続凹部を有し、これらの第１接続凸部および第２接続凹部の各々には、前記連結材を側方から径方向に挿通可能な連結孔が形成されており、
前記治具接続部は、前記第２接続凹部と同一形状で前記第１接続凸部を嵌挿可能な治具接続凹部を有して形成され、この治具接続凹部には、前記第１接続凸部の連結孔と連続して前記治具連結材を挿通可能な治具連結孔が形成され、当該治具接続凹部の外周側に前記脱落防止手段が設けられていることを特徴とする鋼管杭施工用治具。
【請求項３】
請求項１に記載の鋼管杭施工用治具において、
前記鋼管杭の第１接続部は、前記下杭体の上端部にて上方に開口する第１接続凹部を有し、前記第２接続部は、前記上杭体の下端部から下方に突出して前記第１接続凹部に嵌挿可能な第２接続凸部を有し、これらの第１接続凹部および第２接続凸部の各々には、前記連結材を側方から径方向に挿通可能な連結孔が形成されており、
前記治具接続部は、前記第２接続凸部と同一形状で前記第１接続凹部に嵌挿可能な治具接続凸部を有して形成され、この治具接続凸部には、前記第１接続凹部の連結孔と連続して前記治具連結材を挿通可能な治具連結孔が形成され、当該治具接続凸部の内周側に前記脱落防止手段が設けられていることを特徴とする鋼管杭施工用治具。
【請求項４】
請求項１から請求項３のいずれかに記載の鋼管杭施工用治具において、
前記脱落防止手段は、前記治具連結材に設けられる被係止部と、前記治具接続部に設けられて前記被係止部を係止する係止部とを有して構成されていることを特徴とする鋼管杭施工用治具。
【請求項５】
少なくとも上下二段の杭体と、これら上下の杭体のうち下杭体の上端部に設けられる第１接続部と、上杭体の下端部に設けられる第２接続部と、これら第１および第２の接続部を互いに連結する連結材と、を備える鋼管杭を地盤に貫入する鋼管杭の施工方法であって、
前記杭体を地盤に回転貫入する杭打ち機の回転キャップと係合可能な係合部を有した治具本体と、前記治具本体に一体に設けられ前記第２接続部と同一形状を有する治具接続部と、前記治具接続部を前記第１接続部に連結して仮固定する治具連結材と、前記仮固定した状態の治具連結材の脱落を防止する脱落防止手段とを備える鋼管杭施工用治具を用い、
前記第１接続部に前記治具接続部を前記治具連結材で連結して前記下杭体に前記鋼管杭施工用治具を仮固定し、
前記杭打ち機の回転キャップを前記係合部と係合させ、当該回転キャップの回転により前記鋼管杭施工用治具を介して前記下杭体を回転させて地盤に貫入し、
前記下杭体を所定深さまで貫入した後に、前記治具連結材による連結を解除して前記鋼管杭施工用治具を前記第１接続部から取り外し、
前記第１接続部に前記第２接続部を前記連結材で連結して前記下杭体に前記上杭体を接続することを特徴とする鋼管杭の施工方法。
【発明の詳細な説明】
【技術分野】
【０００１】
本発明は、鋼管杭施工用治具および鋼管杭の施工方法に関する。
【背景技術】
【０００２】
従来、鋼管杭の杭頭部に溶接固定した係合コマに杭打ち機の回転キャップ（カップリング）を係合させ、回転キャップの回転より鋼管杭を回転して地盤に貫入する鋼管杭の施工方法が知られている（例えば、特許文献１参照）。
一方、鋼管杭としては、上杭および下杭あるいは上杭、中杭および下杭などのように上下に複数の杭体を備え、これらの杭体同士を連結装置で接続して構成されるものがある。このような上下の杭体同士を接続する連結装置として、下側の杭体の上端部に固定されるプラグ部材と、上側の杭体の下端部に固定されるソケット部材とを備え、プラグ部材をソケット部材に嵌入するとともに、これらの側方からキーを貫通させることで上下の杭体を接続する機械的な接続構造（機械式継手）が提案されている（例えば、特許文献２参照）。
【先行技術文献】
【特許文献】
【０００３】
【特許文献１】特開２００７−１５４４５６号公報
【特許文献２】特開２００６−３７６１９号公報
【発明の概要】
【発明が解決しようとする課題】
【０００４】
しかしながら、前記特許文献１に記載の鋼管杭の施工方法では、上杭および下杭などのように杭体が複数の場合において、各杭体の杭頭部にそれぞれ係合コマを溶接固定しなければならず、使用する鋼材量や溶接量、加工工数が増加してコスト高になるという不都合がある。さらに、係合コマが杭体の径方向外側に突出して固定されている場合には、下杭を地盤中に貫入する際に、係合コマによる貫入抵抗が大きくなったり、杭周辺の地盤が乱されたりという不都合も生じる。このような不都合を防止するためには、下杭の回転貫入作業の後にその係合コマを切断してから、接続した上杭の係合コマによる回転貫入を行うことも考えられるが、係合コマの切断作業中は貫入作業を停止しなければならず、施工時間が長期化してしまうという不都合が生じる。
一方、前記特許文献２に記載されたように機械的に杭体同士を接続する構造を採用した場合には、プラグ部材やソケット部材と併せて係合コマも溶接固定するために、この場合でも鋼材量や溶接量が増加してコスト高になってしまう。
【０００５】
本発明の目的は、鋼管杭の製造コストを低減するとともに施工性向上および工期短縮を図ることができる鋼管杭施工用治具および鋼管杭の施工方法を提供することにある。
【課題を解決するための手段】
【０００６】
本発明の鋼管杭施工用治具は、少なくとも上下二段の杭体と、これら上下の杭体のうち下杭体の上端部に設けられる第１接続部と、上杭体の下端部に設けられる第２接続部と、これら第１および第２の接続部を互いに連結する連結材と、を備える鋼管杭を施工する際に用いる鋼管杭施工用治具であって、前記杭体を地盤に回転貫入する杭打ち機の回転キャップと係合可能な係合部を有した治具本体と、前記治具本体に一体に設けられ前記第２接続部と同一形状を有する治具接続部と、前記治具接続部を前記第１接続部に連結して仮固定する治具連結材と、前記仮固定した状態の治具連結材の脱落を防止する脱落防止手段とを備えることを特徴とする。
【０００７】
以上の鋼管杭施工用治具によれば、下杭体の上端部に設けられて上杭体の第２接続部と接続可能な第１接続部を利用し、この第１接続部に治具接続部を治具連結材により連結して仮固定することで、治具本体の係合部に係合させた杭打ち機の回転キャップの回転を下杭体に伝達することができる。従って、当該鋼管杭施工用治具を介して下杭体を地盤に回転貫入することができ、下杭体の杭頭部に係合コマ等を溶接固定する必要がないことから、使用する鋼材量や溶接量、加工工数を抑制して製造コストを低減させることができる。さらに、鋼管杭施工用治具の治具接続部と下杭体の第１接続部とを治具連結材で仮固定することで、この治具連結材を外すだけで鋼管杭施工用治具を下杭体から取り外すことができるとともに、鋼管杭施工用治具を取り外した後の第１接続部に上杭体の第２接続部を連結材により連結するだけで、下杭体と上杭体とを接続することができる。そして、鋼管杭施工用治具の治具接続部および上杭体の第２接続部を互いに同一形状とするとともに、これらを下杭体の第１接続部に対して機械的に接続可能に構成したことで、下杭体に対する鋼管杭施工用治具の仮固定および取り外しの作業と上杭体の接続作業とが迅速に実施でき、施工性を向上させることができて工期の短縮を図ることができる。また、第１接続部に治具接続部を仮固定した状態において、脱落防止手段によって治具連結材の脱落を防止することで、治具連結材をボルト等で強固に固定する必要がなくなり、治具連結材が容易に外せるようになることから、鋼管杭施工用治具を取り外す際の作業性を一層向上させることができる。
【０００８】
この際、本発明の鋼管杭施工用治具では、前記鋼管杭の第１接続部は、前記下杭体から上方に突出する第１接続凸部を有し、前記第２接続部は、前記第１接続凸部を嵌挿させる第２接続凹部を有し、これらの第１接続凸部および第２接続凹部の各々には、前記連結材を側方から径方向に挿通可能な連結孔が形成されており、前記治具接続部は、前記第２接続凹部と同一形状で前記第１接続凸部を嵌挿可能な治具接続凹部を有して形成され、この治具接続凹部には、前記第１接続凸部の連結孔と連続して前記治具連結材を挿通可能な治具連結孔が形成され、当該治具接続凹部の外周側に前記脱落防止手段が設けられた構成が採用できる。
このような構成によれば、治具接続凹部に第１接続凸部を嵌挿するように構成したことで、治具接続凹部の外側から径方向内側に向かって治具連結材を治具連結孔および連結孔に挿通し、これにより治具接続凹部と第１接続凸部とを連結するとともに、治具接続凹部の外周側に設けた脱落防止手段で治具連結材の脱落を防止することができる。従って、治具接続凹部の外周側つまり下杭体や鋼管杭施工用治具の外部から、治具連結材の連結作業や脱落防止作業、取り外し作業を容易に実施することができ、作業性をさらに向上させることができる。
【０００９】
また、本発明の鋼管杭施工用治具では、前記鋼管杭の第１接続部は、前記下杭体の上端部にて上方に開口する第１接続凹部を有し、前記第２接続部は、前記上杭体の下端部から下方に突出して前記第１接続凹部に嵌挿可能な第２接続凸部を有し、これらの第１接続凹部および第２接続凸部の各々には、前記連結材を側方から径方向に挿通可能な連結孔が形成されており、前記治具接続部は、前記第２接続凸部と同一形状で前記第１接続凹部に嵌挿可能な治具接続凸部を有して形成され、この治具接続凸部には、前記第１接続凹部の連結孔と連続して前記治具連結材を挿通可能な治具連結孔が形成され、当該治具接続凸部の内周側に前記脱落防止手段が設けられた構成を採用してもよい。
このような構成によれば、下杭体の上端部の第１接続凹部に治具接続凸部を嵌挿するように構成したことで、治具接続凸部の内側から径方向外側に向かって治具連結材を治具連結孔および連結孔に挿通し、これにより治具接続凸部と第１接続凹部とを連結するとともに、治具接続凸部の内周側に設けた脱落防止手段で治具連結材の脱落を防止することができる。従って、治具接続凸部の外周側に脱落防止手段が突出しないため、脱落防止手段と杭打ち機の回転キャップとが干渉することがなく、この回転キャップと係合する係合部から治具接続凸部までの距離を短くすることができ、鋼管杭施工用治具の長さ寸法を短縮して小型化を図ることができる。このように鋼管杭施工用治具が小型化できることで、杭打ち機が施工可能な長さ（高さ）寸法に対して下杭体の長さ寸法を相対的に長く設定することができ、鋼管杭全長における杭体の段数が増加することを防止できる。特に、施工現場に高さ制限があり、杭打ち機の高さが制限される場合には、杭体の段数増加を防止することで、施工効率を格段に向上させることができる。
【００１０】
さらに、本発明の鋼管杭施工用治具では、前記脱落防止手段は、前記治具連結材に設けられる被係止部と、前記治具接続部に設けられて前記被係止部を係止する係止部とを有して構成されていることが好ましい。
このような構成によれば、治具連結材に設けた被係止部を治具接続部に設けた係止部で係止して治具連結材の脱落を防止することで、比較的簡単な構造で脱落防止手段を構成することができるとともに、鋼管杭施工用治具の仮固定作業および取り外し作業を迅速に行うことができ、施工時間の短縮化を促進させることができる。ここで、係止部および被係止部の構造としては、下杭体および鋼管杭施工用治具を吊り上げ搬送したり、回転キャップを係合部に係合させたり、下杭体を杭打ち機で回転貫入したりする際に、発生する振動や衝撃、傾き等によって外れない程度の係止力を有したものであればよく、その具体的な構造は、特に限定されない。
【００１１】
一方、本発明の鋼管杭の施工方法は、少なくとも上下二段の杭体と、これら上下の杭体のうち下杭体の上端部に設けられる第１接続部と、上杭体の下端部に設けられる第２接続部と、これら第１および第２の接続部を互いに連結する連結材と、を備える鋼管杭を地盤に貫入する鋼管杭の施工方法であって、前記杭体を地盤に回転貫入する杭打ち機の回転キャップと係合可能な係合部を有した治具本体と、前記治具本体に一体に設けられ前記第２接続部と同一形状を有する治具接続部と、前記治具接続部を前記第１接続部に連結して仮固定する治具連結材と、前記仮固定した状態の治具連結材の脱落を防止する脱落防止手段とを備える鋼管杭施工用治具を用い、前記第１接続部に前記治具接続部を前記治具連結材で連結して前記下杭体に前記鋼管杭施工用治具を仮固定し、前記杭打ち機の回転キャップを前記係合部と係合させ、当該回転キャップの回転により前記鋼管杭施工用治具を介して前記下杭体を回転させて地盤に貫入し、前記下杭体を所定深さまで貫入した後に、前記治具連結材による連結を解除して前記鋼管杭施工用治具を前記第１接続部から取り外し、前記第１接続部に前記第２接続部を前記連結材で連結して前記下杭体に前記上杭体を接続することを特徴とする。
【００１２】
以上の施工方法によれば、前述した鋼管杭施工用治具と同様に、鋼材量や溶接量、加工工数を抑制して鋼管杭の製造コストを低減させることができるとともに、下杭体に対する鋼管杭施工用治具の仮固定および取り外しの作業や、下杭体と上杭体との接続作業などを迅速に実施することができ、施工性を向上させて工期の短縮を図ることができる。
【発明の効果】
【００１３】
以上のような本発明の鋼管杭施工用治具および鋼管杭の施工方法によれば、鋼管杭の製造コストを低減するとともに施工性向上および工期短縮を図ることができる。
【図面の簡単な説明】
【００１４】
【図１】本発明の実施形態に係る鋼管杭の接続部分を示す斜視図である。
【図２】前記鋼管杭の接続部分を示す縦断面図である。
【図３】前記鋼管杭の接続部分を示す横断面図である。
【図４】本発明の第１実施形態に係る鋼管杭施工用治具を示す側面図である。
【図５】前記鋼管杭施工用治具を示す縦断面図である。
【図６】前記鋼管杭施工用治具における脱落防止手段を示す斜視図である。
【図７】図６と異なる脱落防止手段を示す斜視図である。
【図８】図６、７と異なる脱落防止手段を示す斜視図である。
【図９】(Ａ)〜(Ｄ)は、鋼管杭の施工手順を説明する図である。
【図１０】(Ａ)〜(Ｄ)は、図９に続く鋼管杭の施工手順を説明する図である。
【図１１】本発明の第２実施形態に係る鋼管杭施工用治具を示す側面図である。
【図１２】前記鋼管杭施工用治具を示す縦断面図である。
【図１３】前記鋼管杭施工用治具における脱落防止手段を示す斜視図である。
【図１４】図１３と異なる脱落防止手段を示す斜視図である。
【発明を実施するための形態】
【００１５】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１６】
〔第１実施形態〕
図１は、本発明の実施形態に係る鋼管杭１の接続部分を示す斜視図である。図２は、鋼管杭１の接続部分を示す縦断面図である。図３は、鋼管杭１の接続部分を示す横断面図である。
図１〜図３において、鋼管杭１は、それぞれ円形鋼管で形成された上杭体２および下杭体３と、下杭体３の上端部に固定される第１接続部としての接続雌部材４と、上杭体２の下端部に固定される第２接続部としての接続雄部材５と、これらの接続雌部材４と接続雄部材５とを連結する連結材としての複数（本実施形態では、６つ）の連結ピン６と、これらの連結ピン６を接続雄部材５に固定する固定ねじ７とを有して構成されている。そして、下杭体３の先端部には、図示しない螺旋状の羽根が固定され、後述する杭打ち機Ｍにより回転されることで、鋼管杭１は、地盤Ｇに貫入されるようになっている。
【００１７】
接続雌部材４は、全体円環状の短尺鋼管からなるとともに、下杭体３の上端部内周に裏当て板４１を設けた状態で当該接続雌部材４および下杭体３の端縁同士を溶接することで、下杭体３に固定されており、この接続雌部材４の略全体によって、上方に開口した第１接続凹部としての嵌合凹部４２が構成されている。そして、嵌合凹部４２には、その周面を径方向に貫通して連結ピン６を挿通可能な複数（６つ）の連結孔４３が形成されている。
【００１８】
接続雄部材５は、全体円環状で段付き状の短尺鋼管からなるとともに、上杭体２の下端部内周に裏当て板５１を設けた状態で当該接続雄部材５および上杭体２の端縁同士を溶接することで上杭体２に固定され、この上杭体２に溶接固定される厚肉のリブ状部５２と、このリブ状部５２よりも外周径が小さくかつ下方に突出する第２接続凸部としての嵌合凸部５３とを有して形成されている。そして、嵌合凸部５３には、その周面を径方向に貫通して連結ピン６を挿通可能な複数（６つ）の連結孔５４が形成されている。さらに、嵌合凸部５３の内周面には、連結孔５４の内周側を塞ぐようにして環状の帯状部材５５が溶接固定されており、この帯状部材５５には、固定ねじ７と螺合する複数（６つ）のねじ穴５６が形成されている。
【００１９】
連結ピン６は、円柱状の鋼製部材であり、嵌合凹部４２の板厚寸法と嵌合凸部５３の板厚寸法とを合わせた程度の長さ寸法と、連結孔４３，５４に挿通可能な径寸法とを有して形成されている。そして、連結ピン６には、その円柱状の径中心を貫通して固定ねじ７を挿通可能な挿通孔６１が形成されている。
【００２０】
以上の鋼管杭１では、接続雌部材４の嵌合凹部４２に接続雄部材５の嵌合凸部５３を嵌挿し、これらの連結孔４３，５４に連結ピン６を挿入するとともに、連結ピン６の挿通孔６１に挿通した固定ねじ７を帯状部材５５のねじ穴５６に螺合することで、接続雌部材４と接続雄部材５とが連結され、これにより上杭体２と下杭体３とが一体に接続されるようになっている。
【００２１】
次に、第１実施形態における鋼管杭施工用治具について図４〜図７も参照して説明する。ここで、図４は、本発明の第１実施形態に係る鋼管杭施工用治具１０を示す側面図である。図５は、鋼管杭施工用治具１０を示す縦断面図である。
鋼管杭施工用治具１０は、後述する杭打ち機Ｍの回転キャップＣと係合するとともに、接続雌部材４に仮固定されて回転キャップＣの回転を下杭体３に伝達するものであって、上杭体２の下端部および接続雄部材５と略同一形状を有して構成されている。この鋼管杭施工用治具１０は、上杭体２および下杭体３と同径の円形鋼管からなる治具本体１１と、この治具本体１１の外周から突出して溶接固定されて回転キャップＣと係合可能な係合部としての２つの係合コマ１２と、治具本体１１の下端部に固定される治具接続部としての治具雄部材１３と、この治具雄部材１３を接続雌部材４に連結して仮固定する治具連結材としての治具連結ピン１４と、この治具連結ピン１４の脱落防止手段としての係止機構１６，１７とを有して構成されている。
【００２２】
治具雄部材１３は、前記接続雄部材５と同一断面を有した（本実施形態では、同一部材の）段付き状の短尺鋼管からなり、接続雄部材５から帯状部材５５を省略したものとなっている。すなわち、治具雄部材１３は、治具本体１１の下端部内周に裏当て板１５を設けた状態で当該治具雄部材１３および治具本体１１の端縁同士を溶接することで治具本体１１に固定され、この治具本体１１に溶接固定される厚肉のリブ状部１３１と、このリブ状部１３１よりも外周径が小さくかつ下方に突出する治具接続凸部としての嵌合凸部１３２とを有して形成されている。そして、嵌合凸部１３２には、その周面を径方向に貫通して治具連結ピン１４を挿通可能な複数（６つ）の治具連結孔１３３が形成されている。なお、鋼管杭施工用治具１０は、治具本体１１と治具雄部材１３とを溶接接合で一体化したものに限らず、治具雄部材１３のリブ状部１３１を上方に延長した形態を有して一体加工により成形されるものであってもよい。
【００２３】
治具連結ピン１４は、前記連結ピン６と同一形状を有した鋼製部材からなり、連結ピン６から挿通孔６１を省略する一方、被係止部としての係止鋼棒１４１を溶接固定して構成されている。また、治具連結ピン１４は、連結ピン６と異なり、治具雄部材１３の内周側から治具連結孔１３３に挿通されるようになっている。そして、嵌合凸部１３２の内周面には、図６に示すように、略箱状に形成されて係止鋼棒１４１を受け入れ可能な係止部としての係止溝１３４が設けられ、この係止溝１３４の底部に形成された孔に外れ止めピン１３５が挿入可能になっている。
【００２４】
このような治具連結ピン１４を治具連結孔１３３に挿通した状態において、治具連結ピン１４を回転させて係止鋼棒１４１の先端側を係止溝１３４に係止させることで、治具連結ピン１４が治具連結孔１３３から抜け出ないようにできる。さらに、外れ止めピン１３５を係止溝１３４の底部に差し込むことで、外れ止めピン１３５に規制されて係止鋼棒１４１が係止溝１３４から外れないようにでき、これにより治具連結ピン１４が治具連結孔１３３から脱落することが防止できるようになっている。すなわち、治具連結ピン１４の脱落防止手段としての係止機構１６は、係止溝１３４および外れ止めピン１３５と係止鋼棒１４１とによって構成されている。
【００２５】
なお、治具連結ピン１４の脱落防止手段である係止機構としては、図６に示すものの他に、図７および図８に示す係止機構１７，１８を用いてもよい。
図７において、係止機構１７は、治具連結ピン１４に固定された被係止部としての係止リング１４２と、嵌合凸部１３２の内周面に固定された係止部としての上下の係止ブラケット１３６と、上下の係止ブラケット１３６に渡るとともに係止リング１４２に挿通される係止部としての係止ピン１３７とを有して構成されている。この係止機構１７では、治具連結ピン１４を治具連結孔１３３に挿通してから、上側の係止ブラケット１３６、係止リング１４２および下側の係止ブラケット１３６に係止ピン１３７を挿通させることで、この係止ピン１３７の重みによって係止状態が維持され、治具連結ピン１４が治具連結孔１３３から脱落することが防止できるようになっている。
【００２６】
図８において、係止機構１８は、治具連結ピン１４に固定された被係止部としての係止鋼棒１４１と、嵌合凸部１３２の内周面に固定された係止部としての係止リング１３８とを有して構成されている。係止リング１３８は、治具連結孔１３３の外周に沿った円環状の部材であって、嵌合凸部１３２の内部側に開口して係止鋼棒１４１を挿通させる２つの挿通開口１３８Ａと、挿通開口１３８Ａに連続して係止リング１３８の周方向に延びる２つの係止溝部１３８Ｂとを有して形成されている。この係止機構１８では、治具連結ピン１４を治具連結孔１３３に挿通する際に、図８(Ａ)に示すように、係止鋼棒１４１を挿通開口１３８Ａに挿通させてから、図８(Ｂ)に示すように、治具連結ピン１４を回転させて係止鋼棒１４１を係止溝部１３８Ｂに係止させることで、係止リング１３８に係止された治具連結ピン１４が治具連結孔１３３から脱落することが防止できるようになっている。
【００２７】
以上の鋼管杭施工用治具１０は、接続雌部材４の嵌合凹部４２に治具雄部材１３の嵌合凸部１３２を嵌挿し、嵌合凸部１３２の内周側から治具連結孔１３３および連結孔４３に治具連結ピン１４を挿入するとともに、治具連結ピン１４の係止鋼棒１４１を係止溝１３４に係止させるか、治具連結ピン１４の係止リング１４２および係止ブラケット１３６に係止ピン１３７を挿通することで、接続雌部材４と治具雄部材１３とが連結され、これにより下杭体３と鋼管杭施工用治具１０とが仮固定されるようになっている。従って、回転キャップＣを治具本体１１に被せて係合コマ１２に係合させるとともに、杭打ち機Ｍにより回転キャップＣを回転することで、この回転が鋼管杭施工用治具１０を介して下杭体３に伝達され、下杭体３先端の羽根が地盤Ｇにねじ込まれて下杭体３を地盤Ｇに貫入できるようになる。
【００２８】
次に、鋼管杭１の施工方法について、図９および図１０も参照して説明する。
図９(Ａ)〜(Ｄ)および図１０(Ａ)〜(Ｄ)は、鋼管杭１の施工手順を説明する図である。
ここでは、上下二段の杭体である上杭体２と下杭体３とを連結して鋼管杭１を構成する場合について説明するが、三段以上の杭体で鋼管杭１を構成する場合でも、略同様の手順で施工することができる。
先ず、杭頭部に接続雌部材４を固定した下杭体３に対し、建設現場において、鋼管杭施工用治具１０を接続雌部材４に連結して下杭体３に仮固定しておき、この状態の下杭体３を図９(Ａ)に示すように、杭打ち機Ｍで吊り上げる。
【００２９】
次に、図９(Ｂ)に示すように、鋼管杭施工用治具１０に回転キャップＣをセットし、図４のように係合コマ１２に回転キャップＣを係合させる。
次に、図９(Ｃ)に示すように、杭打ち機Ｍによって回転キャップＣを回転させ、下杭体３先端の羽根を地盤Ｇにねじ込むことで下杭体３を地盤Ｇに貫入する。
そして、図９(Ｄ)に示すように、下杭体３の杭頭部が地表付近の作業員が作業可能な位置まで下がった状態において、回転キャップＣを鋼管杭施工用治具１０から外すとともに、下杭体３の杭頭部から鋼管杭施工用治具１０を取り外す。
【００３０】
次に、杭先端部に接続雄部材５を固定するとともに杭頭部に係合コマ（不図示）を固定した上杭体２を、図１０(Ａ)に示すように、杭打ち機Ｍによって吊り上げ、杭頭部に回転キャップＣをセットして係合コマに係合させる。一方、図１〜図３に示すように、上杭体２の杭先端部の接続雄部材５を下杭体３の杭頭部の接続雌部材４に連結し、これによって上杭体２と下杭体３とを一体に接続する。
次に、図１０(Ｂ)に示すように、杭打ち機Ｍによって回転キャップＣを回転させ、下杭体３の羽根をさらに地盤Ｇにねじ込むことで一体化された上下の杭体２，３を地盤Ｇに貫入する。そして、上杭体２の杭頭部が地表付近まで下がった状態において、図１０(Ｃ)に示すように、回転キャップＣに延長具Ｃ１を接続し、上杭体２の杭頭部が地表面から所定の深さ位置になるまで上下の杭体２，３を地盤Ｇに貫入する。
その後、杭打ち機Ｍによって回転キャップＣを引き上げ、上杭体２の上側に土を埋め戻して鋼管杭１の施工が完了する。
【００３１】
なお、上杭体２と下杭体３との間に１本または複数本の中杭体を有して三段以上の杭体で構成される鋼管杭１においては、杭先端部に接続雄部材５を固定するとともに杭頭部に接続雌部材４を固定した中杭体を準備すればよい。この中杭体の接続雌部材４に鋼管杭施工用治具１０を仮固定した状態で、中杭体を杭打ち機Ｍで吊り上げ、杭打ち機Ｍの回転キャップＣを鋼管杭施工用治具１０に係合させる。そして、中杭体の接続雄部材５を下杭体３や他の中杭体の杭頭部の接続雌部材４に連結して一体化し、杭打ち機Ｍから鋼管杭施工用治具１０を介して中杭体および下杭体３を回転させて地盤Ｇに貫入し、鋼管杭施工用治具１０を取り外した中杭体の接続雌部材４に上杭体２や他の中杭体の杭先端部の接続雄部材５を連結するような施工手順を採用すればよい。
【００３２】
このような本実施形態によれば、以下のような効果がある。
（１）すなわち、鋼管杭施工用治具１０を介して下杭体３や中杭体を地盤Ｇに回転貫入することができ、下杭体３や中杭体の杭頭部に係合コマ等を溶接固定する必要がないことから、使用する鋼材量や溶接量、加工工数を抑制して製造コストを低減させることができる。さらに、鋼管杭施工用治具１０の治具雄部材１３と上杭体２の接続雄部材５とが同一部材で構成され、これらと下杭体３の接続雌部材４とが機械的に接続可能に構成されているので、下杭体３に対する鋼管杭施工用治具１０の仮固定および取り外しの作業と上杭体２の接続作業とが迅速に実施でき、施工性を向上させることができて工期の短縮を図ることができる。
【００３３】
（２）さらに、鋼管杭施工用治具１０の治具連結ピン１４が治具連結孔１３３および連結孔４３に治具雄部材１３の内側から挿入され、治具雄部材１３の内周側に係止機構１６，
１７が設けられていることで、鋼管杭施工用治具１０の外周側に係止機構１６，１７が突出しないため、係止機構１６，１７と杭打ち機Ｍの回転キャップＣとの干渉を防止することができる。従って、回転キャップＣと係合する係合コマ１２から嵌合凸部１３２までの距離を短くすることができ、鋼管杭施工用治具１０の長さ寸法を短縮して小型化を図ることができる。
【００３４】
（３）さらに、治具連結ピン１４の脱落を防止する手段として、係止溝１３４および外れ止めピン１３５と係止鋼棒１４１とによって構成された係止機構１６を用いるか、または上下の係止ブラケット１３６と係止リング１４２と係止ピン１３７とによって構成された係止機構１７を用いることで、鋼管杭施工用治具１０の仮固定作業および取り外し作業を迅速に行うことができ、施工時間の短縮化を促進させることができる。
【００３５】
〔第２実施形態〕
図１１は、本発明の第２実施形態に係る鋼管杭施工用治具２０を示す側面図である。図１２は、鋼管杭施工用治具２０を示す縦断面図である。
本実施形態において、鋼管杭１は、上杭体２および下杭体３と、下杭体３の上端部に固定される第１接続部としての接続雄部材５と、上杭体２の下端部に固定される第２接続部としての接続雌部材４とを有して構成されている。すなわち、前記第１実施形態と比較して本実施形態では、上杭体２および下杭体３に対して、接続雌部材４と接続雄部材５とが上下逆転した状態で固定され、接続雄部材５の嵌合凸部５３で第１接続凸部が構成され、接続雌部材４の嵌合凹部４２で第２接続凹部が構成されている。なお、接続雌部材４と接続雄部材５との連結構造は、前記第１実施形態と同様であるため説明を省略する。
【００３６】
本実施形態の鋼管杭施工用治具２０は、杭打ち機Ｍの回転キャップＣと係合するとともに、下杭体３の接続雄部材５に仮固定されて回転キャップＣの回転を下杭体３に伝達するものであって、上杭体２の下端部および接続雌部材４と略同一形状を有して構成されている。この鋼管杭施工用治具２０は、上杭体２および下杭体３と同径の円形鋼管からなる治具本体２１と、この治具本体２１の外周から突出して溶接固定されて回転キャップＣと係合可能な係合部としての２つの係合コマ２２と、治具本体２１の下端部に固定される治具接続部としての治具雌部材２３と、この治具雌部材２３を接続雄部材５に連結して仮固定する治具連結材としての治具連結ピン２４と、この治具連結ピン２４の脱落防止手段としての係止機構２６，２７とを有して構成されている。
【００３７】
治具雌部材２３は、前記接続雌部材４と同一断面を有した（本実施形態では、同一部材の）短尺鋼管から構成されている。すなわち、治具雌部材２３は、治具本体２１の下端部内周に裏当て板２５を設けた状態で当該治具雌部材２３および治具本体２１の端縁同士をに溶接することで治具本体２１に固定され、この治具雌部材２３の略全体によって、下方に開口した治具接続凹部としての嵌合凹部２３１が構成されている。そして、嵌合凹部２３１には、その周面を径方向に貫通して治具連結ピン２４を挿通可能な複数（６つ）の治具連結孔２３２が形成されている。なお、鋼管杭施工用治具２０は、治具本体２１と治具雌部材２３とを溶接接合で一体化したものに限らず、治具雌部材２３を上方に延長した形態を有して一体加工により成形されるものであってもよい。
【００３８】
治具連結ピン２４は、前記連結ピン６および治具連結ピン１４と同一形状を有した鋼製部材からなり、被係止部としての回転錠受け２４１を有して構成されている。この治具連結ピン２４は、治具雌部材２３の外周側から治具連結孔２３２に挿通されるようになっている。そして、嵌合凹部２３１の外周面には、図１３に示すように、回転錠受け２４１と係合可能な係止部としての錠部材２３３が回動可能に設けられ、この錠部材２３３と回転錠受け２４１との係止によって治具連結ピン２４の脱落が防止できるようになっている。
【００３９】
なお、治具連結ピン２４の脱落防止手段である係止機構としては、図１３に示すものの他に、図１４に示す係止機構２７を用いてもよい。
図１４において、係止機構２７は、治具連結ピン１４に固定された被係止部としての係止鋼棒２４２と、嵌合凹部２３１の外周面に固定されて係止鋼棒２４２を受け入れ可能な係止部としての係止鉤部２３４とを有して構成されている。この係止機構２７では、治具連結ピン２４を治具連結孔２３２に挿通してから、治具連結ピン２４を回転させて係止鋼棒２４２の先端側を係止鉤部２３４に係止させることで、治具連結ピン２４の脱落が防止できるようになっている。
【００４０】
以上の鋼管杭施工用治具２０は、接続雄部材５の嵌合凸部５３に治具雌部材２３の嵌合凹部２３１を嵌挿し、嵌合凹部２３１の外周側から治具連結孔２３２および連結孔５４に治具連結ピン２４を挿入するとともに、治具連結ピン２４の回転錠受け２４１と錠部材２３３とを係合させるか、係止鋼棒２４２を係止鉤部２３４に係合させることで、接続雄部材５と治具雌部材２３とが連結され、これにより下杭体３と鋼管杭施工用治具２０とが仮固定されるようになっている。このような鋼管杭施工用治具２０を用いた鋼管杭１の施工手順は、前記第１実施形態と略同様であり、下杭体３の接続雌部材４に仮固定した鋼管杭施工用治具２０に杭打ち機Ｍの回転キャップＣを係合させ、この鋼管杭施工用治具２０を介して下杭体３を地盤Ｇに貫入するとともに、下杭体３の接続雌部材４と上杭体２の接続雌部材４とを連結して上下の杭体２，３を一体化する点が第１実施形態と相違するのみである。
【００４１】
このような本実施形態によれば、前記（１）と略同様の効果に加えて、以下の効果を奏することができる。
（４）すなわち、鋼管杭施工用治具２０の治具連結ピン２４が治具連結孔２３２および連結孔５４に治具雌部材２３の外周側から挿入され、治具雌部材２３の外周側に係止機構２６，２７が設けられていることで、下杭体３や鋼管杭施工用治具２０の外部から、治具連結ピン２４の連結作業や係止機構２６，２７による脱落防止作業、治具連結ピン２４の取り外し作業を容易に実施することができ、作業性をさらに向上させることができる。
【００４２】
なお、本発明は、前記実施形態に限定されるものではなく、本発明の目的を達成できる他の構成等を含み、以下に示すような変形等も本発明に含まれる。
例えば、前記実施形態において、鋼管杭１を構成する上下の杭体２，３は、第１および第２の接続部としての接続雌部材４および接続雄部材５の凹凸嵌合に加えて、接続雌部材４および接続雄部材５に連結材としての連結ピン６を挿通することによって接続される構造を採用したが、杭体同士の接続構造としては、前記実施形態のものに限られない。すなわち、第１および第２の接続部としては、互いに凹凸嵌合するものに限らず、互いに複数の歯を有して噛合するものであってもよく、互いにねじを有して螺合するものであってもよい。また、連結材としても、連結ピン６に限らず、第１および第２の接続部の両方またはいずれか一方に螺合するねじ等であってもよい。
【００４３】
また、前記実施形態では、脱落防止手段として、係止機構１６，１７，１８，２６，２７を例示したが、脱落防止手段としては、前記実施形態に限定されるものではなく、下杭体３および鋼管杭施工用治具１０，２０を吊り上げ搬送したり、回転キャップＣを係合コマ１２に係合させたり、鋼管杭施工用治具１０，２０を介して下杭体３を地盤Ｇに貫入したりする際に、発生する振動や衝撃、傾き等によって外れない程度に連結材を係止できるものであればよく、その具体的な構造は、特に限定されない。例えば、脱落防止手段として、前記連結ピン６に挿通されて帯状部材５５に螺合する固定ねじ７を用いてもよいが、この場合には、帯状部材５５を予め治具雄部材１３の内周面に固定しておく必要があったり、鋼管杭施工用治具の仮固定および取り外しに際して固定ねじ７を回転操作する必要があったりなど、前記実施形態の係止機構１６，１７，１８，２６，２７ほどの効果が期待できなくなってしまう。これに対して、本発明における脱落防止手段では、係止機構１６，１７，１８，２６，２７のように、治具接続部に設けた係止部により治具連結材に設けた被係止部を係止する構成を採用することで、鋼管杭施工用治具１０の仮固定作業および取り外し作業が迅速に行うことができるという効果を得ることができる。
また、前記第１実施形態では、係止機構１６，１７，１８を鋼管杭施工用治具１０の内側に設け、前記第２実施形態では、係止機構２６，２７を鋼管杭施工用治具２０の外側に設けたが、このような構成に限られない。すなわち、係止機構１６，１７，１８と同様の脱落防止手段を鋼管杭施工用治具の外側に設けてもよく、また係止機構２６，２７と同様の脱落防止手段を鋼管杭施工用治具の内側に設けてもよい。
【００４４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００４５】
１…鋼管杭、２…上杭体、３…下杭体、４…接続雌部材、５…接続雄部材、６…連結ピン（連結材）、１０，２０…鋼管杭施工用治具、１１，２１…治具本体、１２，２２…係合コマ（係合部）、１３…治具雄部材（治具接続部）、１４，２４…治具連結ピン（治具連結材）、１６，１７，１８，２６，２７…係止機構（脱落防止手段）、２３…治具雌部材（治具接続部）、４２…嵌合凹部（第１接続凹部、第２接続凹部）、４３…連結孔、５３…嵌合凸部（第２接続凸部、第１接続凸部）、５４…連結孔、１４１，２４２…係止鋼棒（被係止部）、１４２…係止リング（被係止部）、１３２…嵌合凸部（治具接続凸部）、１３３，２３２…治具連結孔、１３４…係止溝（係止部）、１３７…係止ピン（係止部）、１３８…係止リング（係止部）、２３１…嵌合凹部（治具接続凹部）、２３３…錠部材（係止部）、２３４…係止鉤部（係止部）、２４１…回転錠受け（被係止部）、Ｃ…回転キャップ、Ｇ…地盤、Ｍ…杭打ち機。
【図１】
2010138687.tif 000003
【図２】
2010138687.tif 000004
【図３】
2010138687.tif 000005
【図４】
2010138687.tif 000006
【図５】
2010138687.tif 000007
【図６】
2010138687.tif 000008
【図７】
2010138687.tif 000009
【図８】
2010138687.tif 000010
【図９】
2010138687.tif 000011
【図１０】
2010138687.tif 000012
【図１１】
2010138687.tif 000013
【図１２】
2010138687.tif 000014
【図１３】
2010138687.tif 000015
【図１４】
2010138687.tif 000016